(57)【要約】【課題】加湿ローターのメンテナンス時にユーザの手指が回動する加湿ローターで傷付いたり回動する加湿ローターに当たって痛みを感じたりする不具合を緩和する。【解決手段】加湿装置２０の動力伝達機構３０は、軸部品３１と軸受部品３２とを含んでいる。軸受部品３２は、加湿用モーター２４の回転に伴い回転する。軸部品３１は、本体２１に加湿ローター２５が取り付けられているときには加湿ローター２５に連結されているとともに軸受部品３２と一緒に回転できるようにカップリングされて加湿用モーター２４の回転力を軸受部品３２から加湿ローター２５に伝達する。動力伝達機構３０は、軸部品３１が軸受部品３２に連結された状態で加湿ローター２５の回転を妨げる力が閾値を超えた場合に軸受部品３２が軸部品３１に対して空回りする。【選択図】図７
2016017654.tif 000002
【特許請求の範囲】
【請求項１】
本体（２１）と、
メンテナンス時に前記本体から取り外せるように取り付けられ、回動により水の吸水と脱水とを繰り返して加湿を行なうように構成されている加湿ローター（２５）と、
前記本体に設置され、前記加湿ローターを回動させるためのモーター（２４）と、
前記モーターの回転に伴い回転する第１連結部品（３２）及び、前記本体に前記加湿ローターが取り付けられている状態では前記加湿ローターに連結されているとともに前記第１連結部品と一緒に回転できるようにカップリングされて前記モーターの回転力を前記第１連結部品から前記加湿ローターに伝達するための第２連結部品（３１）を含む動力伝達機構（３０）と、
を備え、
前記動力伝達機構は、前記第２連結部品が前記第１連結部品に連結された状態で前記加湿ローターの回動を妨げる力が閾値を超えた場合に前記第１連結部品が前記第２連結部品に対して空回りする、加湿装置。
【請求項２】
前記動力伝達機構は、前記第１連結部品及び前記第２連結部品の一方の凹部（３２ａ）に他方の凸部（３１ａ）が嵌ることによってカップリングされ、前記加湿ローターの回動を妨げる力が閾値を超えた場合に前記凹部の内周が拡大する或いは前記凸部の外周が縮小することによって前記凹部の中で前記凸部が空回りする構造を有する、
請求項１に記載の加湿装置。
【請求項３】
前記第１連結部品及び前記第２連結部品は、前記凹部及び前記凸部が嵌合している箇所を前記第１連結部品及び前記第２連結部品の回動軸に対して垂直な平面で切断したときの断面形状が五角以上の多角形になるように構成されている、
請求項２に記載の加湿装置。
【請求項４】
前記第１連結部品及び前記第２連結部品は、前記多角形が正多角形になるように構成され、前記正多角形の前記凹部及び前記凸部のうちの少なくとも一方が隣接面間の境界を切り離されている、
請求項３に記載の加湿装置。
【請求項５】
前記第１連結部品及び前記第２連結部品は、少なくとも一方が前記凹部と前記凸部との嵌合を誘う誘い形状を有する、
請求項２から４のいずれか一項に記載の加湿装置。
【発明の詳細な説明】
【技術分野】
【０００１】
本発明は、加湿装置、特に回動により加湿を行なう加湿ローターを有する加湿装置に関する。
【背景技術】
【０００２】
従来から、吸水性の加湿エレメントを有する加湿ローターを回転させて、加湿エレメントの一部に水を供給しながら加湿を行う加湿装置が知られている。例えば、特許文献１（特開２００９−２４９１８号公報）に記載されている加湿装置では、吸水フィルターを有する、外周面が円形の回転ドラムを回転させて吸水フィルターを通過する空気の加湿を行っている。回転ドラムを回転させるのは、回転ドラムの外周面に接触されるローラであり、このローラがモーターで駆動される。
【発明の開示】
【発明が解決しようとする課題】
【０００３】
特許文献１に記載されている回転ドラムは、メンテナンス時に回転ドラムが貯水容器とともに側方に引き抜かれると、外周面に接触していたローラとの接触が解除され、ローターが止まる仕組みになっている。ところが、加湿ローターの回転軸を回転させるような場合には、メンテナンス時にスイッチなどで加湿ローターの回転を止めなければ、加湿ローターにユーザの手指が届く状態になっても加湿ローターの回転を止めるのは難しい。スイッチなどを設ける場合にも、スイッチの誤動作によって回転が止まらないというリスクも考えられる。
【０００４】
そこで、本発明の課題は、加湿ローターのメンテナンス時にユーザの手指が回動する加湿ローターで傷付いたり回動する加湿ローターに当たって痛みを感じたりする不具合を緩和することである。
【課題を解決するための手段】
【０００５】
本発明の第１観点に係る加湿装置は、本体と、メンテナンス時に本体から取り外せるように取り付けられ、回動により水の吸水と脱水とを繰り返して加湿を行なうように構成されている加湿ローターと、本体に設置され、加湿ローターを回動させるためのモーターと、モーターの回転に伴い回転する第１連結部品及び、本体に加湿ローターが取り付けられている状態では加湿ローターに連結されているとともに第１連結部品と一緒に回転できるようにカップリングされてモーターの回転力を第１連結部品から加湿ローターに伝達するための第２連結部品を含む動力伝達機構と、を備え、動力伝達機構は、第２連結部品が第１連結部品に連結された状態で加湿ローターの回動を妨げる力が閾値を超えた場合に第１連結部品が第２連結部品に対して空回りする。
【０００６】
第１観点の加湿装置では、第２連結部品が第1連結部品に連結された状態で加湿ローターの回動を妨げる力が閾値を超えた場合に第1連結部品が第２連結部品に対して空回りするので、閾値を適切に設定することで、通常時はモーターの回転力を第１及び第２連結部品を介して加湿ローターに全て伝達できる一方、メンテナンス時にモーターが回転していて加湿ローターでユーザの手指が挟まれたり当たったりしても第１連結部品と第２連結部品が空回りしてユーザの手指に大きな力を与えないようにすることができる。
【０００７】
本発明の第２観点に係る加湿装置は、第１観点の加湿装置であって、動力伝達機構は、第１連結部品及び第２連結部品の一方の凹部に他方の凸部が嵌ることによってカップリングされ、加湿ローターの回動を妨げる力が閾値を超えた場合に凹部の内周が拡大する或いは凸部の外周が縮小することによって凹部の中で凸部が空回りする構造を有する、ものである。
【０００８】
第２観点の加湿装置では、加湿ローターの回動を妨げる力が閾値を超えた場合に凹部の内周が拡大する或いは凸部の外周が縮小することによって凹部の中で凸部が空回りする構造によって、凹部と凸部の間に隙間を形成するだけのため、第１連結部品と第２連結部品を小型化することができる。
【０００９】
本発明の第３観点に係る加湿装置は、第２観点の加湿装置であって、第１連結部品及び第２連結部品は、凹部及び凸部が嵌合している箇所を第１連結部品及び第２連結部品の回動軸に対して垂直な平面で切断した場合の断面形状が五角以上の多角形になるように構成されている、ものである。
【００１０】
第３観点の加湿装置では、嵌合部分の断面形状を五角以上の多角形とすることで、凹部の内周を拡大する量或いは凸部の外周を縮小する量を少なくすることができる。
【００１１】
本発明の第４観点に係る加湿装置は、第３観点の加湿装置であって、第１連結部品及び第２連結部品は、多角形が正多角形になるように構成され、正多角形の凹部及び凸部のうちの少なくとも一方が隣接面間の境界を切り離されている、ものである。
【００１２】
第４観点の加湿装置では、隣接面間の境界が切り離されているので、第１連結部品及び第２連結部品うちの境界で切り離された各面の弾性によって、空周りが生じない閾値が設定でき、第１連結部品及び第２連結部品の構造を簡素化できる。
【００１３】
本発明の第５観点に係る加湿装置は、第２観点から第４観点のいずれかの加湿装置であって、第１連結部品及び第２連結部品は、少なくとも一方が凹部と凸部との嵌合を誘う誘い形状を有する、ものである。
【００１４】
第５観点の加湿装置では、第１連結部品及び第２連結部品の少なくとも一方が凹部と凸部との嵌合を誘う誘い形状によって、メンテナンス時に加湿ローターを本体に取り付ける際に第１連結部品と第２連結部品のカップリングが容易になる。
【発明の効果】
【００１５】
本発明の第１観点に係る加湿装置では、第１連結部品と第２連結部品が空回りして、加湿ローターのメンテナンス時にユーザの手指が回動する加湿ローターで傷付いたり、回動する加湿ローターに当たって痛みを感じたりする不具合を緩和することができる。
【００１６】
本発明の第２観点に係る加湿装置では、第１連結部品や第２連結部品を小型化することで加湿ローターに流れる気流が妨げられるのを抑制することができ、メンテナンス時にユーザの手指が傷付き難い機能と高い加湿性能とを合わせ持つ加湿装置を実現することができる。
【００１７】
本発明の第３観点に係る加湿装置では、空回りする適切な閾値を設定し易くなる。
【００１８】
本発明の第４観点に係る加湿装置では、第１連結部品及び第２連結部品の構造が簡単になることで、空回りする機能を持つ動力伝達機構を安価に提供することができる。
【００１９】
本発明の第５観点に係る加湿装置では、メンテナンスを行なうことが容易になる。
【図面の簡単な説明】
【００２０】
【図１】本発明の実施形態に係る加湿機能付き空気清浄機の正面図。
【図２】図１の空気清浄機の断面図。
【図３】図１の空気清浄機における気流を説明するための模式的な断面図。
【図４】（ａ）メンテナンス前後の空気清浄機の概略斜視図、（ｂ）加湿タンクを取り出しているときの空気清浄機の概略斜視図、（ｃ）加湿タンクが取り出された空気清浄機の概略斜視図、（ｄ）加湿トレーを取り出しているときの空気清浄機の概略斜視図。
【図５】（ａ）メンテナンス前後の空気清浄機の模式的な部分断面図、（ｂ）加湿タンクを取り出しているときの空気清浄機の模式的な部分断面図、（ｃ）加湿トレーを取り出しているときの空気清浄機の模式的な部分断面図。
【図６】メンテナンス時の加湿装置の斜視図。
【図７】加湿装置の断面図。
【図８】軸部品と軸受部品の周辺の部分拡大断面図。
【図９】軸部品の斜視図。
【図１０】軸受部品の斜視図。
【発明を実施するための形態】
【００２１】
（１）加湿機能付き空気清浄機の概要
本発明の一実施形態に係る加湿装置は、加湿機能付き空気清浄機の中に設置されている。以下、一実施形態の加湿装置を内蔵する加湿機能付き空気清浄機について図を用いて説明する。図１は、一実施形態に係る加湿機能付き空気清浄機の正面図である。以下の説明では、図１に示されている空気清浄機１０を床面に設置したときの鉛直方向をＺ方向、Ｚ方向に直交する方向のうち左右方向をＸ方向、前後方向をＹ方向と呼ぶものとする。これらＸ方向、Ｙ方向及びＺ方向が図１において矢印で示されている。図２には、空気清浄機１０のＹ方向の中央で切断したときの断面が示されている。図３には、図２に示されている断面における構成が模式的に示され、それらを通過する空気の流れが矢印で示されている。
【００２２】
図１乃至図３に示されている空気清浄機１０は、本体ケーシング１１、プレフィルター１２、シロッコファン１３、ＨＥＰＡ（High Efficiency Particulate Air）フィルターなどの集塵フィルター１４、脱臭フィルター１５及び加湿装置２０を備えている。空気清浄機１０において、外気は、本体ケーシング１１の左右側面の下方に配置されている吸込グリル１１ａ，１１ｂからプレフィルター１２を通して吸込まれる。プレフィルター１２から吸込まれた外気は、シロッコファン１３によって上方に吹き上げられる。シロッコファン１３の上方であって空気清浄機１０のＺ方向の略中央部には、集塵フィルター１４がＸＹ平面と平行になるように配置されている。シロッコファン１３から吹き上げられる外気は、全て集塵フィルター１４を通過する。集塵フィルター１４を通過した外気は、集塵フィルター１４によって塵埃が除去されて清浄な空気となる。
【００２３】
集塵フィルター１４の上には集塵フィルター１４と平行に配置されている脱臭フィルター１５がある。集塵フィルター１４を通過した清浄な空気は、脱臭フィルター１５を通過する。脱臭フィルター１５を通過した清浄な空気は、脱臭フィルター１５によって臭気が除去されてさらに清浄な空気となる。脱臭フィルター１５の上方で且つ吹出グリル１１ｃの手前には、加湿装置２０が配置されている。吹出グリル１１ｃが本体ケーシング１１の上面に設けられており、加湿装置２０を通過した清浄な空気は、吹出グリル１１ｃから本体ケーシング１１の上方に向かって吹出される。加湿装置２０を動作させるか否かは、本体ケーシング１１の上部に配置されている操作パネル１１ｄによってユーザが選択できるように構成されている。加湿装置２０が動作していると、清浄な空気が加湿装置２０を通過する際に清浄な空気に対して加湿が行われる。しかし、加湿装置２０が動作していなければ、加湿装置２０から清浄な空気への加湿は行なわれない。
【００２４】
（２）加湿装置２０の詳細
（２−１）加湿装置２０の概略構成
図２及び図３に示されているように、加湿装置２０は、本体２１、加湿トレー２２、加湿タンク２３、加湿用モーター２４及び加湿ローター２５を備えている。本体２１には加湿トレー２２が着脱可能に設置されている。加湿トレー２２には加湿タンク２３が着脱可能に取り付けられている。また、加湿トレー２２に加湿ローター２５が回転可能に取り付けられている。本体２１には加湿用モーター２４が取り付けられている。そして、この加湿ローター２５は、加湿用モーター２４によって駆動される。
【００２５】
加湿トレー２２を空気清浄機１０から取り出すときに、加湿用モーター２４と加湿ローター２５とは分離され、加湿用モーター２４が本体２１に残り、加湿ローター２５が加湿トレー２２と一緒に取り出される。また、加湿タンク２３には、本体ケーシング１１の右上部側板１１ｅが固定されている。さらに、右上部側板１１ｅの下に位置する右中段側板１１ｆは、加湿トレー２２の一部と兼用されている。
【００２６】
加湿ローター２５には、左右方向（Ｙ方向）に重なるように２枚の加湿エレメント２５ｂが取り付けられている。加湿エレメント２５ｂは、例えば不織布や織布で形成される。これら加湿エレメント２５ｂは、水分を含んだ状態で空気を通過させることができる。加湿ローター２５の一部は、加湿タンク２３から加湿トレー２２に供給される水の水面下に没するように構成されている。もし、加湿装置２０が動作していなければ、加湿ローター２５の回転が停止して、加湿エレメント２５ｂにおける吸水領域と脱水領域が固定されるため、脱水領域の水分が無くなって清浄な空気への加湿が行なわれなくなる。
【００２７】
（２−２）加湿装置２０のメンテナンス
図４及び図５には、メンテナンス時の加湿装置２０の着脱方法の概要が示されている。図４（ａ）は、メンテナンス前の空気清浄機１０の外観を示す斜視図である。図５（ａ）には、図４（ａ）に示されている状態の空気清浄機１０の上部断面が拡大して示されている。図４（ｂ）は、空気清浄機１０から加湿タンク２３を取り出している状態が示されている。加湿タンク２３を取り出すときは、加湿タンク２３の取っ手２３ａを持って取り出す。図４（ｂ）の状態からさらに加湿タンク２３を取り出した状態が図５（ｂ）に示されている状態である。図４（ｃ）に示されているのが図５（ｂ）に示されている状態の次の状態であって、この状態では完全に加湿タンク２３が空気清浄機１０から取り出されている。図４（ｄ）及び図５（ｃ）に示されているように、加湿タンク２３が取り出された後に、加湿トレー２２と一緒に加湿ローター２５を引き出すことができるように構成されている。このとき、図５（ｃ）に示されているように、加湿用モーター２４は本体２１に取り付けられた状態のままである。加湿トレー２２を引き出すときは、加湿トレー２２の取っ手２２ａを持って引き出す。
【００２８】
図５（ｂ）と図５（ｃ）とを見比べて分かるように、加湿トレー２２を引き出すときに、加湿用モーター２４から加湿ローター２５に動力を伝達するためのカップリングが切断される。後ほど詳しく説明するが、図５（ｃ）及び図６に示されている軸部品３１が軸受部品３２から外れることによって、カップリングが切断される。
【００２９】
メンテナンスが終了して空気清浄機１０を運転可能な状態に戻すときは、上述の手順とは逆の作業が行なわれる。メンテナンス後、まず、加湿ローター２５と一緒に加湿トレー２２が本体ケーシング１１内にある加湿装置２０の本体２１に取り付けられる。本体２１に加湿トレー２２が取り付けられるときには、加湿トレー２２の前後方向（Y方向）に突出している２本のガイドピン２２ｂが本体２１の２つのガイド溝２１ｂに嵌め込まれる。ただし、図６には、本体２１の一部が破断して示されており、一方のガイド溝２１ｂのみが示されている。本体２１に加湿トレー２２が取り付けられると、加湿用モーター２４から加湿ローター２５に動力を伝達するためのカップリングも回復する（図５（ｂ）の状態）。次に、図４（ｃ）及び図４（ｂ）並びに図５（ｂ）に示されている上述の操作と反対の操作を行って、加湿タンク２３を加湿トレー２２に取り付ける。加湿トレー２２への加湿タンク２３の取り付けが完了すると、図４（ａ）及び図５（ａ）に示されているように、右上部側板１１ｅが本体ケーシング１１の右側面と面一になる。
【００３０】
（２−３）加湿装置２０の動力伝達機構
図４及び図５を使って、加湿装置２０のメンテナンス時の操作によって、加湿装置２０の加湿用モーター２４から加湿ローター２５に動力を伝達するためのカップリングが切断されたり、回復されたりすることを説明した。次に、図７乃至図１０を用いてさらに詳細に、加湿装置２０の動力伝達機構を説明し、加湿用モーター２４から加湿ローター２５に動力を伝達するためのカップリングの切断と回復について説明する。
【００３１】
図７には、空気清浄機１０から取り外された状態の加湿装置２０の断面が示されている。なお、図７には、加湿ローター２５の回転軸２５ａを支える軸支持部２６（図４（ｃ）及び図６参照）が取り外された状態が示されている。図８には、軸部品３１と軸受部品３２の周囲を拡大した断面が示されている。
【００３２】
加湿用モーター２４と加湿ローター２５との間には、加湿用モーター２４の動力を加湿ローター２５に伝達するための動力伝達機構３０が形成されている。動力伝達機構３０は、加湿ローター２５の回転軸２５ａを構成する軸部品３１、軸部品３１とカップリング可能な軸受部品３２、軸受部品３２に加湿用モーター２４の回転を伝えるギア３３、軸受部品３２を回転可能に支えるとともにギア３３を回転可能に保持しているギアケース３４、及びギアケース３４と本体２１との間に介装されている防振ゴム３５を備えている。
【００３３】
軸部品３１は、円盤状の加湿ローター２５の中心に固定されており、加湿ローター２５と一緒に回転する。軸部品３１は、加湿ローター２５を挟んだ両側にある２箇所を軸支持部２６で支持されるが、軸支持部２６に支持さえられる箇所が単に軸支持部２６に載置されているだけである。そのため、加湿トレー２２が本体２１から外された状態で、加湿ローター２５を手で持って上に引き上げれば、加湿ローター２５が軸部品３１と一緒に軸支持部２６から簡単に外れる。
【００３４】
加湿トレー２２が本体２１に取り付けられた図７及び図８の状態では、軸受部品３２の凹部３２ａに軸部品３１の凸部３１ａが嵌合している。軸受部品３２の凹部３２ａに軸部品３１の凸部３１ａが嵌合することにより、加湿用モーター２４から加湿ローター２５に動力を伝達できるように軸部品３１と軸受部品３２とがカップリングされる。この軸受部品３２がギア３３を介して加湿用モーター２４に接続されているので、加湿用モーター２４の回転力は、ギア３３と軸受部品３２と軸部品３１とを介して加湿ローター２５に伝達される。図８において、破線で示されている平面ＰＬ１は、回転軸２５ａに垂直な平面であって、軸部品３１と軸受部品３２とが接触して嵌合している部分を通っている。
【００３５】
軸受部品３２は、ギアケース３４に回転可能に軸支されている駆動軸である。ギアケース３４には、ギア３３だけでなく、加湿用モーター２４も収納されている。このギアケース３４は、防振ゴム３５を介して本体２１に取り付けられている。
【００３６】
（２−３−１）軸部品３１
図９は、軸部品３１の斜視図である。軸部品３１には、凸部３１ａ以外に、回転軸方向に延びる軸本体部３１ｂと、加湿エレメント２５ｂ同士の接触を防止するためのリブ３１ｄと、軸支持部２６に支持される断面円形の被支持部３１ｅとが形成されている。掛止部３１ｃは、軸本体部３１ｂの長手方向に対して垂直な面を有し、２枚の加湿エレメント２５ｂの間に挟まる位置に形成されている。
【００３７】
軸部品３１の凸部３１ａは、軸方向に垂直な平面で切断したときの断面が正六角形の形状になるように形成されている。そして、凸部３１ａの先端部３１ａａは、先端に行くに従って細くなるようにテーパ状に加工されている。この先端部３１ａａのテーパ形状は、軸受部品３２の凹部３２ａへの嵌合に凸部３１ａを誘うための誘い形状である。図８の平面ＰＬ１で切断したときに正六角形を呈する六面は、互いに隣接する隣接面例えば面ＰＶ１，ＰＶ２の間に、角が削り取られた曲面例えば曲面Ｒ１が形成される。この曲面Ｒ１によって、凸部３１ａが凹部３２ａに対してスムーズに空周りできる。
【００３８】
（２−３−２）軸受部品３２
図１０は、軸受部品３２の斜視図である。軸受部品３２には、凹部３２ａ以外に、駆動軸方向に延びる軸受本体部３２ｂと、６つの面状体ＰＣ１，ＰＣ２，ＰＣ３，ＰＣ４，ＰＣ５，ＰＣ６からなる包囲部３２ｃと、ギア３３と噛み合うギア部３２ｄと、ギアケース３４に軸支される軸受部３２ｅとが形成されている。包囲部３２ｃの内面側に、凹部３２ａが形成されている。軸受部３２ｅは、円柱状の支軸が挿入できるように中空になっている。
【００３９】
凹部３２ａの先端部３２ａａは、先端に行くに従って広がるようにテーパ状に加工されている。この先端部３２ａａのテーパ形状は、軸受部品３２の凹部３２ａへの嵌合に凸部３１ａを誘うための誘い形状である。
【００４０】
面状体ＰＣ１，ＰＣ２，ＰＣ３，ＰＣ４，ＰＣ５，ＰＣ６は、隣接面間に切り欠きＣ１が形成されており、互いに分離されている。これら面状体ＰＣ１，ＰＣ２，ＰＣ３，ＰＣ４，ＰＣ５，ＰＣ６の一端は、それぞれ軸受本体部３２ｂに接続されている。面状体ＰＣ１〜ＰＣ６が互いに分離されているが、図８の平面ＰＬ１で切断したときの包囲部３２ｃ内面の断面形状つまり凹部３２ａの断面形状は、正六角形とみなせる。
【００４１】
（３）動力伝達機構３０の動作
動力伝達機構３０にとって重要な動作は、通常時に加湿用モーター２４の動力を加湿ローター２５に伝える動作と、異常時に軸部品３１と軸受部品３２の間で空周りして加湿用モーター２４から加湿ローター２５への動力の伝達を中断する動作である。通常時に加湿用モーター２４の動力を加湿ローター２５に伝える動作は、軸部品３１と軸受部品３２のカップリングが維持されることによって達成される。つまり、加湿ローター２５が軸支持部２６の上で回転しているときに軸部品３１と軸受部品３２との間に生じるトルクＴ１では、軸部品３１と軸受部品３２とが空周りしないということである。言い換えれば、軸部品３１と軸受部品３２との間に生じるトルクＴ１では、平面ＰＬ１で切断したときの軸部品３１の六角形の対角線の長さよりも面状体ＰＣ１〜ＰＣ６の対向面間の距離が長くなることはないということである。
【００４２】
それに対して、例えばメンテナンス時にユーザが回転している加湿ローター２５に触って、軸部品３１と軸受部品３２との間に生じるトルクが閾値Ｔ２を越えると、軸部品３１が軸受部品３２に対して空回りする。この閾値Ｔ２は、トルクＴ１よりも大きく、加湿エレメント２５ｂが最大に吸水するなどして通常時に取り得るトルクＴ１の最大値よりもまだ大きな値に設定されている。軸部品３１と軸受部品３２との間に生じるトルクが閾値Ｔ２を越えると、軸部品３１によって面状体ＰＣ１〜ＰＣ６が押されて外側に反る。面状体ＰＣ１〜ＰＣ６が外側に反ることによって、凹部３２ａの内周が広がる。凹部３２ａの内周が広がって、面状体ＰＣ１〜ＰＣ６の対向面間の距離が軸部品３１の六角形の対角線の長さよりも長くなることで、凹部３２ａの中で凸部３１ａが空周りを始める。
【００４３】
ところで、面状体ＰＣ１〜ＰＣ６は、それぞれ片持ち梁とみなすこともできる。従って、凹部３２ａの中で凸部３１ａが空周りを始めるための閾値Ｔ２は、片持ち梁である面状体ＰＣ１〜ＰＣ６の材質や厚みや幅などによって適切に設定することができる。軸部品３１と軸受部品３２の断面形状を正六角形にしているが、正六角形にすることで、異常が発生したときの軸部品３１と軸受部品３２の状態によって閾値Ｔ２が変化するのを防止でき、ほぼ同じ閾値Ｔ２に設定し易くなる。
【００４４】
（４）特徴
（４−１）
以上説明したように、加湿装置２０において、加湿ローター２５は、メンテナンス時に本体２１から取り外せるように取り付けられ、回転により水の吸水と脱水とを繰り返して加湿を行なうように構成されている。加湿用モーター２４は、加湿ローター２５を回転させるため本体２１に設置されている。動力伝達機構３０は、軸部品３１（第２連結部品の例）と軸受部品３２（第１連結部品の例）を含んでいる。軸受部品３２は、加湿用モーター２４の回転に伴い回転する部品である。軸部品３１は、本体２１に加湿ローター２５が取り付けられているときには加湿ローター２５に連結されているとともに軸受部品３２と一緒に回転できるようにカップリングされる。そして、通常時には、軸部品３１は、加湿用モーター２４の回転力を軸受部品３２から加湿ローター２５に伝達する。しかし、異常時には、軸部品３１が軸受部品３２に連結された状態で加湿ローター２５の回転を妨げる力が閾値Ｔ２を超えるようなトルクを発生させたときに軸受部品３２が軸部品３１に対して空回りする。その結果、閾値Ｔ２を適切に設定することで、通常時は加湿用モーター２４の回転力を軸部品３１と軸受部品３２を介して加湿ローター２５に全て伝達できる一方、メンテナンス時に加湿用モーター２４が回転していて加湿ローター２５でユーザの手指が挟まれたり当たったりしても軸部品３１と軸受部品３２が空回りしてユーザの手指に大きな力を与えないようにすることができ、加湿ローター２５のメンテナンス時にユーザの手指が回動する加湿ローター２５で傷付いたり、回転する加湿ローター２５に当たって痛みを感じたりする不具合を緩和することができる。
【００４５】
（４−２）
上記の動力伝達機構３０は、軸受部品３２の凹部３２ａに軸部品３１の凸部３１ａが嵌ることによってカップリングされ、加湿ローター２５の回転を妨げる力が閾値Ｔ２を超えたときに、面状体ＰＣ１〜ＰＣ６が外側に反って凹部３２ａの内周が拡大する。加湿ローター２５の回転を妨げる力が閾値Ｔ２を超えて凹部３２ａの内周が拡大することによって凹部３２ａの中で凸部３１ａが空回りする構造になっている。このように、凹部３２ａと凸部３１ａの間に隙間を形成するだけのため、軸部品３１と軸受部品３２を小型化することができている。その結果、軸部品３１と軸受部品３２で加湿ローター２５に流れる気流が妨げられるのを抑制することができ、メンテナンス時にユーザの手指が傷付き難い機能と高い加湿性能とを合わせ持つ加湿装置２０を実現されている。
【００４６】
（４−３）
上述のように、軸部品３１と軸受部品３２は、凹部３２ａ及び凸部３１ａが嵌合している箇所を回転軸に対して垂直な例えば図８の平面ＰＬ１で切断したときの断面形状が六角形であって、五角以上の多角形になるように構成されている。このように、嵌合部分の断面形状を五角以上の多角形とすることで、凹部３２ａの内周を拡大する量或いは凸部３１ａの外周を縮小する量を少なくすることができ、空回りする適切な閾値Ｔ２を設定し易くなる。
【００４７】
（４−４）
また、軸部品３１と軸受部品３２は、図８の平面ＰＬ１で切断したときの断面形状が正六角形（正多角形の例）になるように構成され、断面正六角形の凹部３２ａの隣接面間の境界が切り離されている。つまり、６つの面状体ＰＣ１〜ＰＣ６の各隣接面間に切り欠きＣ１が形成されている。このように、６つの面状体ＰＣ１〜ＰＣ６の隣接面間の境界が切り離されているので、６つの面状体ＰＣ１〜ＰＣ６の弾性によって、空周りが生じない閾値Ｔ２が設定でき、軸部品３１と軸受部品３２の構造を簡素化でき、空回りする機能を持つ動力伝達機構３０を安価に提供することができる。
【００４８】
（４−５）
上述の軸部品３１と軸受部品３２は、凸部３１ａと凹部３２ａとの嵌合を誘う誘い形状としてテーパ形状の先端部３１ａａ，３２ａａを有している。これらのような誘い形状によって、メンテナンス時に加湿ローター２５を本体２１に取り付ける際に軸部品３１と軸受部品３２のカップリングが容易になり、メンテナンスを行なうことが容易になる。
【００４９】
（５）変形例
（５−１）変形例１Ａ
上記実施形態では、加湿用モーター２４によって加湿ローター２５が回転する場合について説明したが、加湿ローター２５は、回転以外にシーソーのように往復運動をする回動動作を行うものであってもよく、加湿ローター２５の動作は回転以外の回動動作であってもよい。
【００５０】
（５−２）変形例１Ｂ
上記実施形態では、凹部３２ａの内周が拡大する場合について説明したが、凸部３１ａの隣接面間に切り欠きを入れて断面正六角形状に配置されている各面を互いに切り離すように構成してもよい。そして、凸部３１ａの外周を縮小することによって軸受部品３２の凹部の中で軸部品３１の凸部が空回りする構造を構成することもできる。
【００５１】
（５−３）変形例１Ｃ
上記実施形態では、軸部品３１に凸部３１ａを形成し、軸受部品３２に凹部３２ａを形成する場合について説明したが、軸部品３１に凹部を形成し、軸受部品３２に凸部を形成してもよい。その場合に、軸部品３１の凹部の内周を拡大することによって軸部品３１の凹部の中で軸受部品３２の凸部が空回りする構造を構成してもよく、軸受部品３２の凸部の外周を縮小することによって軸部品３１の凹部の中で軸受部品３２の凸部が空回りする構造を構成してもよい。
【００５２】
（５−４）変形例１Ｄ
上記実施形態では、軸部品３１と軸受部品３２の回転軸に対して垂直な例えば図８の平面ＰＬ１で切断したときの凹部３２ａ及び凸部３１ａの断面形状が六角形である場合について説明したが、これらの断面形状は、五角形であってもよく、七角形以上であってもよい。
【００５３】
（５−５）変形例１Ｅ
上記実施形態では、図８の平面ＰＬ１で切断したときの断面正六角形の凹部３２ａの各辺に対応する位置に配置されている６つの面状体ＰＣ１〜ＰＣ６の隣接面間の境界が切り離されている場合を例に挙げて説明した。しかし、切り離される境界は、図８の平面ＰＬ１で切断したときの断面正六角形の凸部３１ａの各辺に対応する位置に配置されている６つの面間の境界であってもよい。また、凹部の境界を切り離す場合も、凸部の境界を切り離す場合も、凹部と凸部が軸部品と軸受部品のどちらに設けられていてもよく、凹部と凸部の境界の両方を同時に切り離す構成とすることもできる。
【００５４】
（５−６）変形例１Ｆ
上記実施形態では、軸部品３１と軸受部品３２の両方の先端部３１ａａ，３２ａａに、誘い形状を形成したが、いずれか一方に誘い形状を形成してもよい。また、誘い形状は、テーパ形状には限られるものではない。
【００５５】
（５−７）変形例１Ｇ
上記実施形態では、加湿ローター２５が加湿エレメント２５ｂを２枚有する場合について説明したが、加湿エレメント２５ｂの数は２枚に限られるものではなく、例えば１枚であってもよい。
【符号の説明】
【００５６】
１０    加湿機能付き空気清浄機
１１    本体ケーシング
２０    加湿装置
２１    本体
２２    加湿トレー
２３    加湿タンク
２４    加湿用モーター
２５    加湿ローター
３０    動力伝達機構
３１    軸部品（第２連結部品の例）
３１ａ    凸部
３２    軸受部品（第１連結部品の例）
３２ａ    凹部
【先行技術文献】
【特許文献】
【００５７】
【特許文献１】特開２００９−２４９１８号公報
【図１】
2016017654.tif 000003
【図２】
2016017654.tif 000004
【図３】
2016017654.tif 000005
【図４】
2016017654.tif 000006
【図５】
2016017654.tif 000007
【図６】
2016017654.tif 000008
【図７】
2016017654.tif 000009
【図８】
2016017654.tif 000010
【図９】
2016017654.tif 000011
【図１０】
2016017654.tif 000012